(57)【要約】【課題】第１筐体と、この第１筐体上を移動する第２筐体とを備えた新しいデザインを有効に利用した携帯端末装置を提供する。【解決手段】第１筐体１４と、表示対象となるデータの少なくとも一部の所定表示範囲をスクロール表示する表示部２２と、第１筐体１４上を移動する第２筐体１２とを備え、第２筐体位置検出部５３が、第２筐体１２の移動量を筐体移動量として検出し、ＣＰＵ５１が、当該検出された筐体移動量に基づいて、表示部２２におけるデータの表示範囲を制御する携帯端末装置である。【選択図】        図１
2004304346.tif 000002
【特許請求の範囲】
【請求項１】
第１筐体と、
表示対象となるデータの少なくとも一部の所定表示範囲をスクロール表示する表示部を備え、前記第１筐体上を移動する第２筐体と、
前記第２筐体の移動量を、筐体移動量として検出する手段と、
前記検出した筐体移動量に基づいて、前記表示部における前記データの表示範囲を制御する制御手段と、
を含むことを特徴とする携帯端末装置。
【請求項２】
請求項１に記載の携帯端末装置において、
前記制御手段は、
前記検出した移動位置に基づいて、前記表示部における前記データの表示範囲の位置を制御する
ことを特徴とする携帯端末装置。
【請求項３】
請求項１又は２に記載の携帯端末装置において、
前記制御手段は、
前記第２筐体の移動中は、当該第２筐体の筐体移動量と、前記表示部に表示されているデータの最大スクロール量とに基づいて決定される表示範囲移動量だけ移動する
ことを特徴とする携帯端末装置。
【請求項４】
第１筐体と、
表示対象となるデータの少なくとも一部の所定表示範囲を表示する表示部を備え、前記第１筐体上を移動する第２筐体とを含む携帯端末装置の表示制御方法であって、
前記第２筐体の移動量を、筐体移動量として検出する工程と、
前記検出した筐体移動量に基づいて、前記表示部における前記データの表示範囲を制御する制御工程と
を含むことを特徴とする表示制御方法。
【請求項５】
第１筐体と、
表示対象となるデータの少なくとも一部の所定表示範囲を表示する表示部を備え、前記第１筐体上を移動する第２筐体とを備えた携帯端末装置に内蔵されたコンピュータに、
前記第２筐体の移動量を、筐体移動量として検出する手順と、
前記検出した筐体移動量に基づいて、前記表示部における前記データの表示範囲を制御する制御手順と
を実行させることを特徴とする表示制御プログラム。
【発明の詳細な説明】
【０００１】
【発明の属する技術分野】
本発明は第１筐体と、該第１筐体に対して移動可能に設けられた第２筐体と、を備えた携帯端末装置に関する。
【０００２】
【従来の技術】
従来の移動通信端末では、メール等を受信し、受信文章が表示部で一度に表示可能な表示情報量をこえている場合、ユーザによる方向キーの連続押下、ジョグダイアルまたは、スクロールキーなどの操作によって行または、頁ごとのスクロール表示を行うことにより、ユーザがすべての表示情報を閲覧可能となる。
【０００３】
また、特開２００２−１６４９９０では、装置本体を縦軸と横軸の回りに回動させることにより、この回動方向と同方向にカーソル位置を移動したり、画面のスクロールを行なえるようにしたものがある。
【０００４】
【特許文献１】
特開２００２−１６４９９０号公報
【０００５】
【発明が解決しようとする課題】
しかしながら、スライド式構造の移動通信端末を実現する場合は、ユーザが、方向キー、ジョグダイアルまたは、スクロールキーを操作可能な位置に、それら操作を行う為のキーを配置する必要があったり、特開２００２−１６４９９０に記載されているものにおいてはキーの配置は必要ないものの、スクロールの際には装置本体を回転させねばならずユーザにとって使いづらいものとなっていた。
【０００６】
本発明は上記実情に鑑みて為されたもので、第１筐体と、この第１筐体上を移動する第２筐体とを備えた新しいデザインを有効に利用した携帯端末装置を提供することをその目的の一つとする。
【０００７】
【課題を解決するための手段】
上記従来例の問題点を解決するための本発明は、携帯端末装置であって、第１筐体と、表示対象となるデータの少なくとも一部の所定表示範囲をスクロール表示する表示部を備え、前記第１筐体上を移動する第２筐体と、前記第２筐体の移動量を、筐体移動量として検出する手段と、前記検出した筐体移動量に基づいて、前記表示部における前記データの表示範囲を制御する制御手段と、を含むことを特徴としている。
【０００８】
ここで制御手段は、前記検出した移動位置に基づいて、前記表示部における前記データの表示範囲の位置を制御することとしてもよい。また、この制御手段は、前記第２筐体の移動中は、当該第２筐体の筐体移動量と、前記表示部に表示されているデータの最大スクロール量とに基づいて決定される表示範囲移動量だけ移動することとしてもよい。
【０００９】
このように、第２筐体の移動操作がそのままスクロール操作として受け付けられることで、操作部に関する作業を行うことなく、そのままスクロール操作を行うことができ、利便性を向上できる。
【００１０】
また、上記従来例の問題点を解決するための本発明は、第１筐体と、表示対象となるデータの少なくとも一部の所定表示範囲を表示する表示部を備え、前記第１筐体上を移動する第２筐体とを含む携帯端末装置の表示制御方法であって、前記第２筐体の移動量を、筐体移動量として検出する工程と、前記検出した筐体移動量に基づいて、前記表示部における前記データの表示範囲を制御する制御工程とを含むことを特徴としている。
【００１１】
さらに上記従来例の問題点を解決するための本発明は、第１筐体と、表示対象となるデータの少なくとも一部の所定表示範囲を表示する表示部を備え、前記第１筐体上を移動する第２筐体とを備えた携帯端末装置に内蔵されたコンピュータに、前記第２筐体の移動量を、筐体移動量として検出する手順と、前記検出した筐体移動量に基づいて、前記表示部における前記データの表示範囲を制御する制御手順とを実行させることを特徴としている。
【００１２】
【発明の実施の形態】
本発明の実施の形態について図面を参照しながら説明する。本発明の実施の形態に係る携帯端末装置は、図１〜図３に示すような直線スライド型の携帯端末であり、具体的に図１は、直線スライド式携帯端末の収納状態を示す正面斜視図であり、図２は、その伸長状態を示す正面斜視図であり、図３は、その伸長状態を示す背面斜視図である。
【００１３】
本実施の形態においては、これらの図に示す直線スライド式携帯端末装置１０は、移動電話機能を備えるとともに、各種データ処理機能を有するものであり、第１筐体１４及び第２筐体１２を備え、第２筐体１２は第１筐体１４に対して直線的にスライド移動可能となっている。
【００１４】
すなわち、第２筐体１２の裏面には、図３に示されるように、互いに平行する一対のガイド溝３０が形成されており、一方、第１筐体１４には、操作面１６側に、これらガイド溝３０に係合する一対の鉤状突起部（図示せず）が形成されている。さらに、第２筐体１２の裏面及び第１筐体の表面、すなわち操作面１６は、いずれも平面とされており、また、ガイド溝３０は直線状に形成されている。このため、第２筐体１２は、両ガイド溝３０が各鉤状突起部に係合した状態を維持しつつ、第１筐体１４に対して直線的にスライド移動するようになっている。こうして、第２筐体１２は、第１筐体１４の操作面１６をその裏面で覆う収納位置と、第１筐体１４の操作面１６を露出させる伸長位置と、をスライド移動するようになっている。以下では、第２筐体１２が収納位置にある状態を収納状態、伸長状態にある状態を伸長状態と呼ぶ。
【００１５】
各ガイド溝３０の底部には図示しない線状の電極が設けられており、一方、第１筐体１４に設けられた鉤状突起部の頂部にも図示しない電極が設けられている。直線スライド式携帯端末装置１０では、これらの電極の接触が維持されることにより、スライド位置に依らず、第１筐体１４と第２筐体１２との間で電力及びデータの授受が確実に行われるようになっている。
【００１６】
また、図１に示されるように、第２筐体１２には、その表面に受話スピーカ２０、表示部２２、副操作部２４が設けられ、表面縁部に着信用ＬＥＤ１８が設けられている。また、図２に示されるように、第１筐体１４には、操作面１６に複数のセンサ１７と主操作部２８とが設けられ、側面にマイク部２６が設けられている。
【００１７】
センサ１７は、第２筐体１２の移動方向に複数配列されており、具体的には光センサや、押下されたときにオンとなり、押下されないときにはオフとなるようなプッシュ型のスイッチ等であり、光センサであれば第２筐体１２によって覆い隠されたときに入射光がなくなることで第２筐体１２の位置を検出し、プッシュ型のスイッチであれば、第２筐体１２によって覆い隠されたときに押下されることで、第２筐体１２が操作面１６のどの部分を覆い隠しているか、すなわち第２筐体１２の位置が検出される。
【００１８】
主操作部２８は、電話番号その他の各種データをユーザが入力したり、各種操作指示を行うため、複数の操作部材を含んでいる。すなわち、この主操作部２８には、少なくとも電話番号や文章入力に必要な１０キー、着信ボタン、機能選択キー（ファンクションキー）などの各種ボタン及び操作キーを含んでいる。
【００１９】
副操作部２４は、主に収納状態で必要とされる各種操作部を含んでいる。例えば、収納状態でも電話の着信を受けたい場合は、着信ボタンを副操作部２４に含まれる操作部に割り付ければよい。この割り付けは固定的なものであってもよいし、ユーザが任意に割り付けることができるようにしてもよい。
【００２０】
表示部２２は、ＬＣＤ（Ｌｉｑｕｉｄ  Ｃｒｙｓｔａｌ  Ｄｉｓｐｌａｙ）からなり、電話番号の表示やメニュー画面などの表示を行う。例えば本実施の形態においては、この表示部２２には、図４に示すように、電界強度に関する情報や、着信モードに関する情報等、移動電話機能に関する情報や、バッテリーの残量表示等といった状態情報を表示する表示領域（以下、状態情報表示領域と呼ぶ）と、電子メールのデータなどを表示する表示領域（以下、データ表示領域と呼ぶ）とが設定されている。
【００２１】
着信用ＬＥＤ１８は、着信があった時に点灯／点滅することでユーザに着信を報知するものである。この着信用ＬＥＤ１８は、着信時にユーザが確実に気付くよう表面縁部に設けられている。また、マイク部２６は、通話時にユーザの発声を拾うものであり、受話スピーカ２０は、通話時に通話相手の発声を出力するものである。受話スピーカ２０は、アラームの出力など、他の音声の出力に用いられてもよい。
【００２２】
なお、直線スライド式の携帯端末装置１０は、収納状態ではＰＤＡ（Ｐｅｒｓｏｎａｌ  Ｄｉｇｉｔａｌ  Ａｓｓｉｓｔａｎｔｓ）として使用され、伸長状態では携帯電話として使用されてもよい。この場合、ＰＤＡとしての使い勝手を向上させるため、表示部２２にタッチパネルを備え、タッチ入力や手書き文字入力等を可能とすることが望ましい。第２筐体１２もまた、第１筐体１４と略同一大の薄型箱状に形成されている。
【００２３】
本実施の形態の携帯端末装置は、図５に示すように、ＣＰＵ５１と、記憶部５２と、第２筐体位置検出部５３とを備える。このＣＰＵ５１は、記憶部５２に格納されているプログラムに従って動作し、電子メール等のデータを携帯電話回線を介して受信し、記憶部５２に格納する。また、このＣＰＵ５１は、記憶部５２が保持している、これら電子メール等のデータを表示対象のデータとして、当該表示対象となったデータを表示部２２に表示する処理を行う。このＣＰＵ５１による表示の処理については、後に詳しく述べる。
【００２４】
記憶部５２は、ＣＰＵ５１によって実行されるプログラムを格納している。また、この記憶部５２は、ＣＰＵ５１がその処理過程で生成する種々のデータを記憶する、ワークメモリとしても動作する。第２筐体位置検出部５３は、第２筐体１２の移動位置（第２筐体１２が操作面１６のどの部分を覆い隠しているか）を検出して、当該検出した位置を表す情報（筐体移動量情報）ＰをＣＰＵ５１に出力する。具体的にこの第２筐体位置検出部５２は、第１筐体１４の操作面１６上に設けられたＮ個のセンサ１７によって第２筐体１２の位置を検出している。また、この筐体移動量情報は、センサ１７が、それを第２筐体１２が覆っているか否かによって出力値を変化させるものである場合、第２筐体１２により覆われているセンサ１７の数がＭ個であるときには、この値Ｍを筐体移動量情報Ｐとして出力する。
【００２５】
ここで、ＣＰＵ５１のデータの表示の処理について説明する。ＣＰＵ５１は、表示対象となったデータのうち、表示部２２内のデータ表示領域に表示可能なサイズの部分データを、表示範囲として抽出し、当該表示範囲を表示部２２のデータ表示領域に表示する。なお、以下の説明では表示部２２内のデータ表示領域のスクロール方向のサイズを、データ表示領域サイズと呼ぶ。またＣＰＵ５１は、ユーザから行われる所定操作に応じて、この部分データの抽出位置、すなわち表示範囲の位置を移動する。すなわち、図６に示すように、当初は表示対象データの先頭とする所定範囲を表示範囲として抽出して表示し（図６（Ａ））、ユーザが表示範囲をデータ末尾方向に移動する指示（スクロールダウン指示）に係る操作を行うと、当該操作の内容に基づいてスクロール量を決定し、表示範囲の先頭位置（以下、表示範囲位置と呼ぶ）をデータ末尾方向に当該決定したスクロール量（表示範囲移動量、ここでは３行とする）だけ移動して表示する（図６（Ｂ））。また、ＣＰＵ５１は、表示範囲をデータ先頭方向に移動する指示（スクロールアップ指示）に係る操作が行われると、当該操作の内容に基づいてスクロール量を決定し、表示範囲位置をデータ先頭方向に当該決定したスクロール量だけ移動する、そして、当該移動後の表示範囲位置を先頭とする所定範囲を、表示範囲とすることになる。
【００２６】
本実施の形態において特徴的なことの一つは、この表示範囲位置を移動するための所定操作に、第２筐体の移動操作が含まれることである。すなわち、ＣＰＵ５１は、第２筐体位置検出部５３から入力される、第２筐体１２の位置を表す情報（筐体移動量情報）に基づいて、表示範囲位置を移動し、データの表示範囲を制御する。
【００２７】
具体的にスクロール量は、予め一定の値Δｓを設定しておき、この値Δｓを用いて決定してもよい。この場合、ＣＰＵ５１は、入力される筐体移動量情報ＰにΔｓを乗じたＰ×Δｓ行目を表示範囲位置とする。そしてＣＰＵ５１は、Ｐ×Δｓ行目から、表示部２２のデータ表示領域サイズの行数分のデータを表示範囲として画定し、この表示範囲のデータを表示部２２に表示させる。このようにすると、第２筐体１２によってセンサ１７のどれもが覆われていない状態、すなわち伸長状態のときの値Ｐ＝０から、センサ１７のすべてが覆われている状態、すなわち収納状態のときの値Ｐ＝Ｎまでに対し、データの０行目を先頭とする表示範囲から、データのＮ×Δｓ行目を先頭とする表示範囲までを、第２筐体１２によって覆われたセンサ１７の個数に応じてスクロール表示することとなる。なお、Δｓは、表示部２２のデータ表示領域サイズの行数以下であることとしてもよい。なお、データの画像部分については、テキスト一行分のピクセル数を、一行として扱うこととすれば、同様に処理できる。
【００２８】
また、スクロール量を、表示対象となったデータの最大スクロール量に基づいて決定してもよい。ここで最大スクロール量は、データの行数としてもよいし、当該データの行数から表示部２２のデータ表示領域サイズに相当する行数を差し引いた行数としてもよい。ＣＰＵ５１は、このようにして定められる最大スクロール量Ｓを検出し、この最大スクロール量Ｓをデータ表示領域サイズの行数Ｌで除した値、Ｓ／Ｌ（ページ数）を演算する。そして、このページ数Ｓ／Ｌと、センサ１７の個数Ｎとを比較し、センサ１７の個数とページ数とが等しい、すなわちＮ＝Ｓ／Ｌであれば、スクロール量Δｓを、Δｓ＝Ｌ（これはＳ／Ｎにも等しい）とする。これによると、いわゆるページスクロールが行われることとなって、第２筐体１２を移動させて伸長状態から収納状態とするまでの間に、表示対象データの全体がスクロールによって表示されることとなる。
【００２９】
また、ページ数Ｓ／Ｌと、センサ１７の個数Ｎとを比較した結果、Ｎ＞Ｓ／Ｌであれば、スクロール量Δｓ＝Ｓ／Ｎとする。これによると、スクロールが、データ表示領域サイズのピクセル数未満のステップで行われ、スライド移動操作に応じたスクロール速度が遅くなるようになって、第２筐体１２を移動させて伸長状態から収納状態とするまでの操作全体で、表示対象データの全体がスクロールによって表示されることとなる。なお、Ｎ＝Ｓ／Ｌである場合、Ｌ＝Ｓ／Ｎであるので、ＣＰＵ５１は、ＮがＳ／Ｌ以上であれば、スクロール量Δｓ＝Ｓ／Ｎとすることとしてもよい。
【００３０】
さらに、ページ数Ｓ／Ｌと、センサ１７の個数Ｎとを比較した結果、Ｎ＜Ｓ／Ｌである場合は、スクロール量Δｓ＝Ｓ／Ｎと定めると、１度のスクロールにおける表示範囲位置の移動量であるΔｓがデータ表示領域サイズＬを超え、データの一部が表示されない結果となる。そこでこの場合、ＣＰＵ５１は、縮小率Ｑ＝Ｌ×Ｎ／Ｓを演算し、テキストについては、この縮小率Ｑだけ縮小したフォントを用いて表示し、画像については、この縮小率だけ、少なくともそのスクロール方向のピクセル数を縮小ないし切り取った画像を生成して、当該生成した画像を表示するようにする。そしてスクロール量Δｓ＝Ｓ／Ｎとする。これによると、表示対象のデータが縮小表示されることで、第２筐体１２を移動させて伸長状態から収納状態とするまでの操作全体で、表示対象データの全体がスクロールによって表示されることとなる。
【００３１】
次に、本実施の形態の携帯端末装置の動作について説明する。なお、以下の説明では、携帯端末装置が当初、伸長状態にあるものとする。携帯端末装置が電子メール等を着信すると、着信用ＬＥＤ１８が点灯し、及び／又は音声が鳴動されて着信が報知される。そして、当該電子メールは内部の記憶部５２に格納される。
【００３２】
ユーザが当該着信した電子メールを表示する指示操作を行うと、ＣＰＵ５１が当該指示操作を受けて、記憶部５２に格納した電子メールのデータを表示対象とし、この表示対象のデータを表示する処理を開始する。
【００３３】
まずＣＰＵ５１は、データ表示領域サイズＬと、表示対象データの行数Ｓとを比較し、Ｓ＜Ｌである場合はそのまま表示対象データを表示部２２に表示する。また、Ｓ≧Ｌであれば、Ｓ／Ｌを演算し、このＳ／Ｌと、センサ１７の個数Ｎとを比較する。
【００３４】
ここでＮ≧Ｓ／Ｌであれば、スクロール量Δｓを、Δｓ＝Ｓ／Ｎとする。そして、ＣＰＵ５１は、センサ１７のうち、第２筐体１２によって覆われているセンサ１７の数Ｍを取得する。そしてＣＰＵ５１は、表示対象のデータのうち、Δｓ×Ｍ行目から、Ｌ行分の部分データを抽出し、この抽出した部分データを表示部２２に表示させる。ここでは伸長状態にあるものとしているので、Ｍ＝０であり、従って０行目（つまり先頭）からＬ行分の部分データを表示部２２に表示する（例えば図６（Ａ））。
【００３５】
ユーザが第２筐体１２を伸長状態から収納状態へと移動し始め、第２筐体１２が、センサ１７の一つを覆う位置になると、ＣＰＵ５１は、第２筐体位置検出部５３から入力される数Ｍが「０」から「１」に変化したことを検出して、表示対象のデータのうち、Δｓ×Ｍ行目から、Ｌ行分の部分データを抽出し、この抽出した部分データを表示部２２に表示させる。ここではＭ＝１であるので、Δｓ行目からＬ行分の部分データが表示部２２に表示されることになる。例えば、Δｓ＝３であるとすると、図６（Ｂ）に示すように、３行だけスクロールした状態で表示される。
【００３６】
さらにユーザが第２筐体１２を移動して、第２筐体１２が、センサ１７を順次覆う位置に達するごとに第２筐体位置検出部５３が出力する値Ｍが変化する。ＣＰＵ５１は、この第２筐体位置検出部５３から入力される数Ｍが変化したことを検出して、表示対象のデータのうち、Δｓ×Ｍ行目から、Ｌ行分の部分データを抽出し、この抽出した部分データを表示部２２に表示させる。収納位置に近接して、Ｎ個のセンサ１７をすべて隠す位置まで、第２筐体１２が移動すると、第２筐体位置検出部５３が出力する値Ｍは、Ｍ＝Ｎとなり、ＣＰＵ５１は、表示対象のデータのうち、Δｓ×Ｎ行目から、Ｌ行分の部分データを抽出し、この抽出した部分データを表示部２２に表示させるようになる。このとき、Δｓ＝Ｓ／Ｎであるから、Δｓ×Ｎ＝Ｓであり、表示データの最終行が表示部２２に表示された状態となる。
【００３７】
すなわち、本実施の形態によると、伸長状態から収納状態に移動する間に、表示対象データが表示部２２にスクロール表示され、ユーザは、その全体を確認できるようになる。
【００３８】
また、本発明の携帯端末装置は、ここまでに説明した実施の形態に限られるものではない。例えば、ここまでの説明では、第１筐体１４に対して第２筐体１２が直線的に、すなわち直線軌道によりスライド移動する例について述べたが、第１筐体１４の操作面１６を一定曲率の曲面に形成し、第２筐体１２の裏面を、操作面１６と同じ一定曲率の曲面に形成して、第１筐体１４に対して第２筐体１２が円弧軌道によりスライド移動するようにしてもよい。また、第１筐体の第２筐体側の面に略垂直な軸を中心として回動する第２筐体を有するものでもよい。
【００３９】
さらにセンサ１７は、第２筐体１２又は第１筐体１４内に内蔵され、第２筐体１２の移動に伴って、その抵抗値を変化させるポテンショメータ等であってもよい。この場合、当該ポテンショメータの解像度が、センサ１７の数Ｎに相当する値として用いられる。
【００４０】
また、主操作部２８のキーをセンサ１７の代わりに用いることもできる。この場合、第２筐体１２は、その移動方向端部が、上面側から第１筐体１４側に近接するにつれて削り取られ、図７（Ａ）に示すように曲面Ｒをなすように形成されるとともに、第１筐体１４上のキーの少なくとも一部は、第２筐体１２の移動方向、及びそれに直交する方向に沿って格子状に、Ｎ行×Ｋ列に配置され、それらは第２筐体１２によって覆われる位置で、押下された状態となるように配置される。ＣＰＵ５１は、主操作部２８上で、格子状に配列されたキーのうち、第２筐体１２の移動方向に直交する方向に配列されたキーすべてが押下された状態となったとき、当該キーの位置に相当する行まで第２筐体１２が移動しているとして、第２筐体位置検出部５３は筐体移動位置を表す情報を出力する。例えば、図７（Ｂ）に示すように、Ｎ行×Ｋ列のキーのうち、Ｍ行×Ｋ列が押下された状態にあるとすると、第２筐体位置検出部５３が出力する筐体移動位置の情報は、「Ｍ」となる。図７（Ａ）は、本実施の形態の携帯端末装置を側面から見た場合の概要図であり、図７（Ｂ）は、本実施の形態の携帯端末装置を上側から見た場合の概要平面図である。
【００４１】
さらに、この際、ＣＰＵ５１は、当該第２筐体位置検出部５３が出力する筐体移動位置の情報に基づいて、当該Ｍ×Ｋ個のキーについてのスキャン処理を停止してもよい。すなわち、ＣＰＵ５１は、主操作部２８上のキーが押下されているか否かを、各キーについて順次スキャンしながら監視しているのであるが、一行分がすべて押下された状態になっているキーについては、第２筐体１２によって覆われており、ユーザによる操作はないものとして、当該行のキーについてはスキャン処理を停止するのである。これにより消費電力の向上が図られる。
【００４２】
【発明の効果】
本発明によれば、従来の方向キー、ジョグダイアルまたは、スクロールキーなど、表示及び、カーソル移動を行う為の操作キーが不要になり、部品実装スペースを軽減でき、コストダウンを図ることができる上、ユーザにとっても表示部のスクロール操作をしやすい携帯端末装置を提供することができる。また、第１筐体と、この第１筐体上を移動する第２筐体とを備えた新しいデザインを有効に利用した携帯端末装置とすることができる。
【図面の簡単な説明】
【図１】本発明の実施の形態に係る携帯端末装置の収納状態を示す正面斜視図である。
【図２】本発明の実施の形態に係る携帯端末装置の伸長状態を示す正面斜視図である。
【図３】本発明の実施の形態に係る携帯端末装置の伸長状態を示す背面斜視図である。
【図４】表示部２２の表示領域の例を表す説明図である。
【図５】本発明の実施の形態に係る携帯端末装置の例を表す構成ブロック図である。
【図６】本発明の実施の形態に係る携帯端末装置における表示例を表す説明図である。
【図７】本発明の実施の形態に係る携帯端末装置を側面及び上側から見た場合のそれぞれの概要図である。
【符号の説明】
１０  直線スライド式携帯端末装置、１２  第２筐体、１４  第１筐体、１６操作面、１７  センサ、１８  着信用ＬＥＤ、２０  受話スピーカ、２２  表示部、２４  副操作部、２６  マイク部、２８  主操作部、３０  ガイド溝、５１  ＣＰＵ、５２  記憶部、５３  第２筐体位置検出部。
【図１】
2004304346.tif 000003
【図２】
2004304346.tif 000004
【図３】
2004304346.tif 000005
【図４】
2004304346.tif 000006
【図５】
2004304346.tif 000007
【図６】
2004304346.tif 000008
【図７】
2004304346.tif 000009